(57)【要約】【課題】  低刺激性を特徴とするアシルタウリン塩を主成分とし、温度や経時での安定性が良好で、泡立ちが極めて高く、かつ肌や頭髪に対して使用後に優れた感触を付与するアシルタウリン塩の混合物、およびこれを用いた洗浄剤組成物を提供する。【解決手段】  （ａ）特定のＮ−アシル化タウリンのナトリウム塩と、（ｂ）特定のＮ−アシル化タウリンのカリウム塩を、（ａ）成分：（ｂ）成分＝７：１〜１：１（質量比）の割合で含有するＮ−アシルタウリン塩の混合物、および該混合物を用いた洗浄剤組成物。【選択図】  なし【特許請求の範囲】
【請求項１】
（ａ）下記一般式（I）で示されるＮ−アシル化タウリンのナトリウム塩と、（ｂ）下記一般式（II）で示されるＮ−アシル化タウリンのカリウム塩を、（ａ）成分：（ｂ）成分＝７：１〜１：１（質量比）の割合で含有する、Ｎ−アシルタウリン塩の混合物。
Ｒ1ＣＯＮＨＣＨ2ＣＨ2ＳＯ3Ｎａ      （I）
Ｒ2ＣＯＮＨＣＨ2ＣＨ2ＳＯ3Ｋ        （II）
［一般式（I）、（II）中、Ｒ1、Ｒ2は、それぞれ独立に、炭素原子数が７〜１７のアルキル基またはアルケニル基を示す］
【請求項２】
請求項１に記載の混合物を含有する洗浄剤組成物。
【発明の詳細な説明】
【技術分野】
【０００１】
本発明はアシルタウリン塩の混合物、およびそれを配合した皮膚あるいは頭髪用の洗浄剤組成物に関する。さらに詳しくは、アシルタウリンのナトリウム塩で生ずる経時に伴うゲル化を防ぎ、離水などの安定性の問題がない混合物に関し、さらにそれを配合することで得られる、起泡性、使用性に優れ、皮膚や毛髪に対する刺激性が少ない洗浄剤組成物に関する。
【背景技術】
【０００２】
アシルタウリン塩はその低刺激性や高起泡性から、洗浄剤組成物への利用が示されている。例えば、２級アミド型Ｎ−アシルタウリン塩と両性界面活性剤を含有する洗浄剤組成物（特許文献１参照）、アシルタウリン塩とグリセリルエーテルを含有する洗浄剤組成物（特許文献２参照）、２級アミド型Ｎ−アシルタウリン塩とカチオン化ポリマーを含有する洗浄剤組成物（特許文献３参照）などが提案されている。これら特許文献１〜３に記載の洗浄剤組成物では、アシルタウリン塩の対イオンとして、ナトリウム、カリウム等が用いられるが、アシルタウリン塩の対イオンとしてナトリウムを用いる場合、調製直後は良好な外観を有していても、経時に伴いゲル化して著しい離水を生ずる。また、対イオンとしてカリウムを用いる場合、当初から極めて硬い構造を形成し、水溶けも悪く、洗浄料としての使用に適さない。
【０００３】
そこで上記水溶けを改良したアシルタウリン組成物として、アシルタウリン組成物１モルに対して０．５〜２．０モルのハロゲン化アルカリ金属化合物を共存させた界面活性剤が提案されている（特許文献４参照）。しかしながら、特許文献４に記載の組成物を皮膚洗浄料に適用しようとすると、このような多量のハロゲン化アルカリが共存では皮膚に刺激を生じてしまい、実際には使用することはできないうえ、塩析によりアシルタウリンの結晶化が著しく、ペースト状とはいえない状態になってしまう。
【０００４】
【特許文献１】特開平８−２４５９８２号公報
【特許文献２】特開２００１−１１４６６７号公報
【特許文献３】特開平８−２５３７９１号公報
【特許文献４】特開２００４−６７８４０号公報
【発明の開示】
【発明が解決しようとする課題】
【０００５】
本発明は上記事情に鑑みてなされたもので、水をベースとしたアシルタウリン塩において、離水などの安定性の問題がない混合物を提供すること、および、該混合物を用いて、起泡性、使用性に優れ、皮膚や毛髪に対する刺激性が少ない洗浄剤組成物を提供することを目的とする。
【課題を解決するための手段】
【０００６】
本発明者らは、上記課題を解決すべく鋭意研究を重ねた結果、Ｎ−アシル化タウリンのナトリウム塩、カリウム塩を、それぞれ特定の比率で共存させることで、経時によるゲル化に伴う離水がなく安定性に優れた混合物が得られ、また該混合物を洗浄剤として適用した場合、優れた起泡性、使用性を有し、さらに皮膚や毛髪に対して低刺激であることを見出し、本発明を完成するに至った。
【０００７】
すなわち、本発明は、（ａ）下記一般式（I）で示されるＮ−アシル化タウリンのナトリウム塩と、（ｂ）下記一般式（II）で示されるＮ−アシル化タウリンのカリウム塩を、（ａ）成分：（ｂ）成分＝７：１〜１：１（質量比）の割合で含有する、Ｎ−アシルタウリン塩の混合物を提供する。
【０００８】
Ｒ1ＣＯＮＨＣＨ2ＣＨ2ＳＯ3Ｎａ      （I）
Ｒ2ＣＯＮＨＣＨ2ＣＨ2ＳＯ3Ｋ        （II）
【０００９】
［一般式（I）、（II）中、Ｒ1、Ｒ2は、それぞれ独立に、炭素原子数が７〜１７のアルキル基またはアルケニル基を示す］
【００１０】
また本発明は、上記混合物を含有する洗浄剤組成物を提供する。
【発明の効果】
【００１１】
本発明により、離水などの安定性の問題がなく、かつ起泡性、使用性に優れ、皮膚や毛髪に対する刺激性が少ないアシルタウリン塩の混合物、およびこれを含有するヒトの皮膚あるいは頭髪用の洗浄剤組成物を得ることができるという効果を奏する。
【発明を実施するための最良の形態】
【００１２】
以下、本発明について詳述する。
【００１３】
本発明における（ａ）成分としてのＮ−アシル化タウリンのナトリウム塩は、下記一般式（I）で表される化合物である。
【００１４】
Ｒ1ＣＯＮＨＣＨ2ＣＨ2ＳＯ3Ｎａ      （I）
【００１５】
（上記式中、Ｒ1は、炭素原子数が７〜１７のアルキル基またはアルケニル基を示す）
【００１６】
（ａ）成分として、具体的には、例えば、ラウロイルタウリンナトリウム、ミリストイルタウリンナトリウム、ステアロイルタウリンナトリウム、ココイルタウリンナトリウム等が挙げられる。
【００１７】
本発明における（ｂ）成分としてのＮ−アシル化タウリンのカリウム塩は、下記一般式（II）で表される化合物である。
【００１８】
Ｒ2ＣＯＮＨＣＨ2ＣＨ2ＳＯ3Ｋ        （II）
【００１９】
（上記式中、Ｒ2は、炭素原子数が７〜１７のアルキル基またはアルケニル基を示す）
【００２０】
（ｂ）成分として、具体的には、例えば、例えば、ラウロイルタウリンカリウム、ミリストイルタウリンカリウム、ステアロイルタウリンカリウム、ココイルタウリンカリウム等が挙げられる。
【００２１】
本発明の混合物では、（ａ）成分と（ｂ）成分の配合割合（質量比）は７：１〜１：１であり、好ましくは６：１〜２：１である。上記配合割合よりも（ａ）成分が多いと、経時でゲル化し離水が生じやすくなり、一方、上記配合割合よりも（ｂ）成分が多いと、泡立ちが不十分となるため洗浄剤としての実使用に適さない。この（ｂ）成分が高比率の系での泡立ちの低減は、イオン交換水中では高起泡であるが水道水等の通常洗浄に使用する水中では低起泡という、カリウム塩自体の性質が発現するためである。
【００２２】
本発明の洗浄剤組成物では、上記混合物を、洗浄剤組成物中に１〜３０質量％程度配合するのが好ましく、より好ましくは１０〜２５質量％である。また該混合物の他に水を含有する。
【００２３】
本発明の洗浄剤組成物には上記成分の他に、アニオン性界面活性剤、両性界面活性剤、非イオン性界面活性剤、多価アルコール、粉末成分、油分・油脂、高分子、紫外線吸収剤、糖類、アミノ酸、金属封鎖剤、酸化防止剤、防腐剤、消炎剤、美白剤、植物抽出液、賦活剤、抗炎症剤など、通常化粧品や医薬部外品に用いられる成分を配合することができる。本発明洗浄剤組成物は、常法により製造することができる。
【００２４】
本発明は、皮膚洗浄料（例えば、洗顔料、ボディシャンプーなど）、頭髪洗浄料（例えば、シャンプーなど）に好適に用いられる。
【００２５】
［実施例］
以下に実施例を挙げて本発明をさらに具体的に説明する。なお、本発明はこれによってなんら限定されるものではない。配合量は特記しない限りすべて質量％である。
【００２６】
まず、本発明に用いた評価方法について説明する。
【００２７】
［安定性］
試料製造後、４０℃に４週間保存した後の状態を目視により判定した。評価基準は以下のとおりである。
（評価）
◎：  外観の変化や離水等が全くみられない
○：  ゲル化は若干みられるが、離水は起こらない
△：  ゲル化や離水が若干みられる
×：  離水が明確にみられる
【００２８】
［泡立ち］
専門パネル（１０名）により実使用試験を実施し、泡立ちを評価した。評価基準は以下のとおりである。
（評価）
◎：  ８名以上が、泡立ちがよいと回答した
○：  ６〜７名が、泡立ちがよいと回答した
△：  ３〜５名が、泡立ちがよいと回答した
×：  ２名以下が、泡立ちがよいと回答した
【００２９】
［なめらかさ］
専門パネル（１０名）により実使用試験を実施し、乾燥した後の肌のなめらかさを評価した。評価基準は以下のとおりである。
（評価）
◎：  ８名以上が、乾燥後なめらかさがあると回答した
○：  ６〜７名が、乾燥後なめらかさがあると回答した
△：  ３〜５名が、乾燥後なめらかさがあると回答した
×：  ２名以下が、乾燥後なめらかさがあると回答した
【００３０】
（試験例１〜７）
下記表１に示す配合組成よりなる試料を調製し、上記評価基準により、安定性、泡立ち、なめらかさについて評価した。結果を表１に示す。
【００３１】
【表１】
2006063152.tif 000002
【００３２】
上記試験例３〜６から明らかなように、（ａ）成分：（ｂ）成分＝７：１〜１：１（質量比）の割合で配合した試料は、安定性、泡立ち、なめらかさのいずれの評価にも優れており、特に（ａ）成分：（ｂ）成分＝６：１〜２：１（質量比）では、全評価項目において特に格段に優れた評価が得られた（試験例４、５）。
【００３３】
一方、上記試験例１、２のように、（ａ）成分を含むが（ｂ）成分を含まない系、あるいは（ａ）成分、（ｂ）成分の両者を含むが、（ａ）成分の配合比率が本願発明範囲を超えて過多な系では、本試料（試験品）が調製数日後であったにもかかわらず、若干ゲル化が生じていたため、水溶けが悪く泡立ちが十分ではなかった。また安定性が悪く著しい離水が生じた。また、上記試験例７の結果から、（ａ）成分より（ｂ）成分の割合が高い系では、カリウム塩由来の低起泡性が勝るようになるため、泡立ちが良好でなく、かつなめらかさも十分でなかった。
【実施例１】
【００３４】
洗顔料
（配  合  成  分）                                  （質量％）
ミリストイルタウリンナトリウム                          １８
ラウロイルタウリンカリウム                                ６
ラウロイルメチルタウリンナトリウム                        ３
ジプロピレングリコール                                  １０
イソステアリン酸                                          ３
ｐＨ調製剤                                              適  量
防腐剤                                                  適  量
香料                                                    適  量
水                                                      残  余
（全量１００）
（製法）
上記成分を全て７０℃にて攪拌混合し、洗顔料を調製した。得られた洗顔料は、安定性（４０℃、４週間）が良好で、泡立ちや使用後の肌のなめらかさにも優れた使用性を有していた。
【実施例２】
【００３５】
頭髪洗浄料
（配  合  成  分）                                  （質量％）
ココイルタウリンナトリウム                              １４
ココイルタウリンカリウム                                  ３
ラウロイルアミドプロピルベタイン                          ５
１，３−ブチレングリコール                                ５
ｐＨ調整剤                                              適  量
防腐剤                                                  適  量
香料                                                    適  量
水                                                      残  余
（全量１００）
（製法）
上記成分を全て７０℃にて攪拌混合し、頭髪洗浄料を調製した。得られた頭髪洗浄料は、安定性（４０℃、４週間）が良好で、泡立ちや使用後の肌のなめらかさにも優れた使用性を有していた。
【実施例３】
【００３６】
泡立つメーク落とし
（配  合  成  分）                                  （質量％）
ココイルタウリンナトリウム                              ２０
ミリストイルタウリンカリウム                              ４
トリイソステアリン酸ＰＥＧ２０グリセリル                  ３
ポリエチレングリコール４００                              ５
ｐＨ調整剤                                              適  量
防腐剤                                                  適  量
香料                                                    適  量
水                                                      残  余
（全量１００）
（製法）
上記成分を全て７０℃にて攪拌混合し、泡立つメーク落としを調製した。得られたメーク落としは、安定性（４０℃、４週間）が良好で、泡立ちや使用後の肌のなめらかさにも優れた使用性を有していた。